(57)【要約】【課題】  金属サイディング等の外装材を縦張り施工する際に、その下端面での金属サイディングの白錆の発生の目立ちやすさや下端面が面一に揃わないという問題を解消して外装材下端部での外観性を向上させるとともに、金属サイディング等の外装材の取付け施工後において良好な、施工性でこのことを可能になる外装材下端部での端面カバー固定構造を提供する。【解決手段】  建物躯体の壁部６の屋外側に縦張り装着された外装材Ｂの下端部のカバー固定構造であって、前記屋外側に縦張り装着された外装材Ｂの下端部に対して端面カバー取付用のベース部材１２が取付け固定され、次いで該ベース部材１２に端面カバー１４が係合取付けされる。【選択図】図１
2010077668.tif 000002
【特許請求の範囲】
【請求項１】
建物躯体の壁部の屋外側に縦張り装着された外装材の下端部のカバー固定構造であって、前記屋外側に縦張り装着された外装材の下端部に対して端面カバー取付用のベース部材が取付け固定され、次いで該ベース部材に端面カバーが係合取付けされていることを特徴とする外装材下端部の端面カバー固定構造。
【請求項２】
ベース部材は、外装材の下端面への対向片部と下端部表面への対向片部とを有し、各々の対向片部には、端面カバーの折り返し片部が係合されて端面カバーが取付け固定されていることを特徴とする請求項１に記載の外装材下端部の端面カバー固定構造。
【請求項３】
端面カバーには水抜き穴が設けられていることを特徴とする請求項１または２に記載の外装材下端部の端面カバー固定構造。
【発明の詳細な説明】
【技術分野】
【０００１】
本発明は、建物外壁部における外装材下端部での端面カバー固定構造に関するものである。
【背景技術】
【０００２】
従来より、建物の外壁構成部材として、木質系や窯業系の外装材とともに、金属サイディングと呼ばれる外装材が知られている。
【０００３】
たとえば添付の図３に示したように、この金属サイディングＡは、アルミニウム、鉄等の素材からなる金属製の面材１を表層とし、その背面に、発泡樹脂層２を配置して、さらにアルミニウム箔等のシート３を設け、金属製の面材１の表面に、適宜に塗装を施したものとして知られている。このような金属サイディングＡは、面材１に金属を使用していても全体として軽量であって、しかも、これにより構成した外壁が、耐風性、耐候性、耐熱・耐火性、断熱性、遮音性等に優れているとされている。また、このような金属サイディングにおいては、外壁面に横張りする時の上下の嵌着部として、長手方向に直交する断面の左右に、金属製の面材１が延設された凹凸実部４が形成されている。この凹凸実部４そのものの形態は、他の木質系や窯業系等の外装材においてもほぼ同様に設けられている。
【０００４】
ただ、金属サイディングＡを縦張りして外壁を構成する場合には、従来一般的には、通常の外装材取付け施工の方法（たとえば特許文献１参照）として、たとえば図４にも示したように、建物の土台部５の上部において、建物躯体の壁面６に胴縁７と基礎水切り８とを介して取付け固定されており、その下端面に特段の役物を配置、使用することなく、切り放しで施工されている。このため、役物無しの切り放し施工であることによって、下端面では、金属製の面材１での白錆の発生が目立ち、しかも下端面が面一に揃わないという問題があった。木質系や窯業系の外装材の場合でも、白錆の発生という問題は生じないものの、縦張り施工にともなう下端面が面一に揃わないという問題点では共通していた。
【０００５】
そこで、このような問題点を解消するために、外装材の下端部にカバー材を配置する構成（たとえば特許文献２参照）として、図５のように、金属サイディングＡを縦張りする時のその下端部でのスターター部材として、またその下端部を覆う部材として、カバー材９を設けることが提案されている。このようなカバー材９を配置することで、カバー材９のスターター機能によって下端面が面一になり、しかも下端面は、従来目立っていた白錆とともに外観としては遮断されることになる。従って、下端部での外観性は大きく向上する。
【０００６】
しかしながら、カバー材９を用いる図５のような構造の場合、金属サイディングＡ等の外装材の取付け固定に先立って、あらかじめ事前の作業としてカバー材９を取付け固定することになる。このような事前のカバー材９の取付け固定は、外装材下端面でのスターター機能を果たすことになるものの、かえって、外装材の取付け施工を難しくする要因となりかねないとういう問題もある。それと言うのも、前記の金属サイディングＡ等の外装材の取付け施工では、外装材の製品寸法のバラツキがある。しかも、縦張りにともなう長手方向の上下配置位置が施工においてバラツクことや、施工ミスによる位置不揃いが生じかねない。このため、カバー材９のようにスターター部材として外装材の下端面位置を固定してしまうと前記のようなバラツキ、不揃いが吸収できずに取付け施工が難しくなりかねない。
【０００７】
一方、外装材の下端部を覆うカバー材を、外装材の取付け施工後に後付け可能とする構造も提案されている（たとえば特許文献３参照）。しかしこの提案されている構造では、たとえば図６に示したように、金属サイディングＡ等の外装材の取付け固定に先立って、あらかじめ敷目板１０を取付けている。そして外装材の取付け固定後に、敷目板１０の嵌合挟持部１０Ａにカバー材１１の突出部１１Ａを差し込み嵌合するようにしている。このような構造では、カバー材１１は後付け施工できるものの、事前に取付け施工する敷目板１０の配置によって、実際には、敷目板１０がスターター部材として機能することで、前記図５のカバー材９と同様に、外装材の取付け施工を難しくする。あるいは外装材下端面が面一でなく不揃いのままの場合には、敷目板１０の嵌合挟持部１０Ａを圧迫し、カバー材１１の取付けそのものが難しくなりかねないという問題がある。
【特許文献１】特開２００１−３２３５７３号公報
【特許文献２】特開２００４−１５２６５５号公報
【特許文献３】特開平６−１２９０７９号公報
【発明の開示】
【発明が解決しようとする課題】
【０００８】
本発明は、以上のとおりの背景から、金属サイディング等の外装材を縦張り施工する際に、その下端面での金属サイディングの白錆の発生の目立ちやすさや下端面が面一に揃わないという問題点を解消して外装材下端部での外観性を向上させるとともに、金属サイディング等の外装材の取付け施工後においてこのことを可能とする、施工性の良好な、外装材下端部での端面カバー固定構造を提供することを課題としている。
【課題を解決するための手段】
【０００９】
本発明の外装材下端部の端面カバー固定構造は以下のことを特徴としている。
【００１０】
第１：建物躯体の壁部の屋外側に縦張り装着された外装材の下端部のカバー固定構造であって、前記屋外側に縦張り装着された外装材の下端部に対して端面カバー取付用のベース部材が取付け固定され、次いで該ベース部材に端面カバーが係合取付けされている。
【００１１】
第２：ベース部材は、外装材の下端面への対向片部と下端部表面への対向片部とを有し、各々の対向片部には、端面カバーの折り返し片部が係合されて端面カバーが取付け固定されている。
【００１２】
第３：端面カバーには水抜き穴が設けられている。
【発明の効果】
【００１３】
本発明は前記のとおりの端面カバーの固定構造として、その特徴のある構造体とその施工方法を提供するものであるが、これによって以下のとおりの顕著な効果が奏されることになる。
【００１４】
すなわち、前記第１の発明の外装材下端部の端面カバー固定構造によれば、金属サイディング等の外装材を縦張り施工する際に、その下端面での金属サイディングの白錆の発生の目立ちやすさや下端面が面一に揃わないという問題点を解消して外装材下端部での外観性を向上させる。そして、金属サイディング等の外装材の取付け施工後においてこのことを可能とする。外装材の取付け固定に際しては、製品の寸法や施工のバラツキがあっても、従来のように事前にカバー材や敷目板を設けていないので外装材の取付け施工が難しくなるという不具合は生じない。また、端面カバーの後付け施工は極めて容易となり、施工性に優れた端面カバー固定構造が実現される。
【００１５】
また、第２の発明によれば、より具体的に、上記のとおりの効果が確実に実現されることになる。端面カバー固定のための部材の構成もシンプルなものとして提供される。
【００１６】
第３の発明によれば、水抜き穴を設けることで、端面カバー装着後においても、外装材下端部に侵入する雨水等の排水がさらに円滑に行われることになる。
【発明を実施するための最良の形態】
【００１７】
添付の図１および図２は、本発明の外製材下端部の端面カバー固定構造の一実施形態について例示した要部断面斜視図と部材の分解斜視図である。
【００１８】
金属サイディング等の外装材Ｂは、たとえば、建物の土台部５の上部において、建物の壁面６の屋外側に、胴縁７や基礎水切り８を介して縦張りで取付け固定される。この際には、胴縁７については設計施工の形態によっては配設されなくてもよいし、横胴縁あるいは縦胴縁のいずれでもよい。基礎水切り８の部材や取付けの形態についても同様に多様であってよい。この外装材Ｂの取付け施工においては下端面に対してのスターター部材を特段に使用していない。ただ、施工のための位置決めについては、たとえば壁面６、あるいは基礎水切り８や胴縁７へのマーキング等の各種手段が考慮されてよいことは言うまでもない。
【００１９】
このように、あらかじめ縦張りで取付け固定された外装材Ｂの下端部において、ベース部材１２がビス、釘等の止着具１３によって外装材Ｂに対して取付け固定される。次いで、取付け固定されたベース部材１２に対し、端面カバー１４が係合取付けされる。この場合の端面カバー１４は、少くとも、外装材Ｂ下端面での金属サイディングの場合の白錆や面一にならない不揃いの状態が外観として露出されないように覆うことができる大きさを持つものとする。また、端面カバー１４は、その取付け固定では、ベース部材１２への係合によるものとして、ビス、釘等の止着具を用いる必要はないものとする。仮に止着具を使用する場合は、これは補助的であって、しかも外観として露出しないようにする。
【００２０】
ベース部材１２と端面カバー１４は、たとえば、図２にも拡大して例示したものとすることができる。この例では、ベース部材１２は、外装材Ｂの下端面への対向片部１２Ａと、外装材Ｂの下端部表面への対向片部１２Ｂとを有してる。そして、これらの対向片部１２Ａ、１２Ｂの略中間位置に、外装材Ｂの下端部表面に当接されて止着具１３による止着可能となる止着部１２Ｃを有している。このようなベース部材１２においては、止着部１２Ｃで止着具１３で止着固定された場合に、前記の対向片部１２Ａは外装材Ｂの下端面との間に、また、対向片部１２Ｂは外装材Ｂの下端部表面との間に隙間があるように配設される。この隙間は、端面カバーを係合可能とするためのものである。
【００２１】
一方の端面カバー１４は、図２に示したように、その上下端部に弾性を有する折り返し片部１４Ａ、１４Ｂを有し、この上下の折り返し片部１４Ａ、１４Ｂは、図中に矢印で示した方向への押込みによるベース部材１２への係合操作において、まず、ベース部材１２の対向片部１２Ａ、１２Ｂに当接して矢印ａ、ｂ方向へ弾性変形し、次いで、この変形から復帰することで、図１に示したように折り返し片部１４Ａ、１４Ｂの各々が、ベース部材１２の対向片部１２Ａ、１２Ｂに係合される。この係合によって端面カバー１４は、確実に、安定して取付け固定された状態となる。
【００２２】
端面カバー１４には、水抜き穴１４Ｃを設けることができる。これによって、外装材Ｂ下端部での侵入した雨水等の排出が円滑に行われることになる。水抜き穴の大きさ、配置位置と数は、設計と施工現場の状態に応じて定めることができる。
【００２３】
ベース部材１２、そして端面カバー１４の素材については金属、樹脂、あるいはその複合体等の各種であってよいが、端面カバー１４の外観色調は外装材Ｂと調和されることが好ましい。
【００２４】
もちろん本発明は以上の例によって限定されることはない。さらに様々な形態が可能とされることは言うまでもない。
【図面の簡単な説明】
【００２５】
【図１】本発明の一実施形態を例示した要部断面斜視図である。
【図２】図１のベース部材と端面カバーについて拡大して例示した断面斜視図である。
【図３】金属サイディングを例示した要部断面斜視図である。
【図４】従来一般的な切り放しによる外装材の下端部固定構造を示した要部断面斜視図である。
【図５】カバー材を用いた従来の下端部固定構造を示した要部断面斜視図である。
【図６】後付け施工によるカバー材取付けの従来例を示した要部断面斜視図である。
【符号の説明】
【００２６】
Ａ  金属サイディング
Ｂ  外装材
１  金属製の面材
２  発泡樹脂層
３  シート
４  凹凸実部
５  土台部
６  壁面
７  胴縁
８  基礎水切り
９  カバー材
１０  敷目板
１０Ａ  嵌合挟持部
１１  カバー材
１１Ａ  突出部
１２  ベース部材
１２Ａ  対向片部
１２Ｂ  対向片部
１２Ｃ  止着部
１３  止着具
１４  端面カバー
１４Ａ  折り返し片部
１４Ｂ  折り返し片部
１４Ｃ  水抜き穴
【図１】
2010077668.tif 000003
【図２】
2010077668.tif 000004
【図３】
2010077668.tif 000005
【図４】
2010077668.tif 000006
【図５】
2010077668.tif 000007
【図６】
2010077668.tif 000008